(57)【要約】【課題】多数の選手が同時に踊る中で審査を行うダンス競技会において、審査が適正に評価できるとともに、競技進行を速やかに進めること。【解決手段】採点集計システムをインストールしたネットワークドライブ設定ができるコンピュータと、競技審査システムをインストールしたネットワークドライブ設定ができるタブレットコンピュータに同一ローカルネットワークに接続したネットワーク記憶装置に構成した共有フォルダーを、それぞれのコンピュータのネットワークドライブとして接続設定することにより分散コンピューティング等価の処理を行うことで、処理データの送受信あるいはデータ変換を必要としない採点集計システム及び競技審査システムを構築することで、競技審査に必要な情報と十分な審査時間を速やかに審査員に供与でき、適切な評価とミスのない審査を行うことができる。【選択図】図１
2019118632.tif 000002
【特許請求の範囲】
【請求項１】
ボールルームダンス競技会の審査処理手段と審査結果の採点集計処理手段をローカルネットワークシステムで接続したコンピュータにより処理する競技採点集計システムおよび競技審査処理手段において、審査処理手段に用いるコンピュータと審査結果の採点集計処理手段に用いるコンピュータをローカルネットワークに接続した少なくとも１台以上のネットワーク記憶装置内に設けた共有フォルダーを、それぞれのコンピュータがネットワークドライブフォルダーとして設定接続することにより、それぞれのコンピュータがこの共有フォルダーに処理ファイルを記録、読込することで競技会の審査処理と審査結果の集計処理を行うことを特徴とする競技採点集計システムおよび競技審査システム。
【請求項２】
ツリー型トポロジーあるいはスター型トポロジー等に構成した複数のローカルネットワークHUBのルートノードHUBに少なくとも１台以上のネットワーク記憶装置を接続し、
下位の階層ノードHUBの１つに採点集計処理手段に用いる少なくとも１台以上のコンピュータ及びプリンターを接続し、他の下位の階層ノードHUBの審査処理手段に用いるコンピュータと無線LAN接続する少なくとも１台以上の無線アクセスポイントを接続し、当該無線アクセスポイントに適時分散して接続した複数の審査処理手段に用いるコンピュータで構成したことを特徴とする上記請求項１に記載した競技採点集計システムおよび競技審査システム。
【請求項３】
上記請求項２における下位の階層ノードHUBにおいて、当該HUBを有線HUBあるいは、無線HUBで構成したことを特徴とする上記請求項１に記載した競技採点集計システムおよび競技審査システム。
【請求項４】
上記請求項１におけるネットワーク記憶装置において、半導体素子メモリーを用いたストレージとして扱うことができるソリッドステートドライブネットワーク記憶装置で構成したことを特徴とする競技採点集計システムおよび競技審査システム。
【請求項５】
上記請求項１における採点集計処理手段コンピュータにおいて、審査結果の採点集計処理を行うMainコンピュータのほかに少なくとも１台以上の採点集計処理手段コンピュータをSubコンピュータとしてネットワーク接続し、処理するために長時間を必要とする印刷処理あるいは、当日の欠場データ処理等を行わせることを特徴とする競技採点集計システムおよび競技審査システム。
【請求項６】
請求項１項における審査処理手段に用いるコンピュータにおいて、ネットワークドライブで接続したネットワーク記憶装置内に設けたラウンドデータから、競技ラウンドの審査対象選手の背番号を審査内容すなわち予選又は準決勝ラウンドにおける選択審査と決勝ラウンドにおける順位審査を切り替えて表示する手段を有し、選択審査においては、同一ラウウドの複数ヒートの背番号を同一画面に表示するとともに、選択、選択取消、選択待機等の記録を背番号に関連付けて消えることなく表示する機能を有する。また、順位審査においては、審査対象選手の背番号の表示と順位枠を表示し、対象背番号を選択し順位枠にドラグすることで、順位枠に該当背番号を表示する機能を有し、同一順位に別の選手背番号が上書きされた時は、既に設定済の背番号を連続した順位背番号と共に空白順位のある方向へシフト移動する機能を有していること、あるいは既に設定済の背番号と入れ替える機能を有し、審査員の選択によりいずれかの機能を選択できることを特徴とする競技審査システム。
【請求項７】
請求項１項における審査処理手段に用いるコンピュータにおいて、請求項６に示す審査データをネットワークドライブで接続したネットワーク記憶装置内に設けた審査データフォルダーに記録するとともに、当該コンピュータ内にBuck upの記録フォルダーと審査員操作のLog記録ファイルを有して審査データのバックアップ記録と審査員の処理操作のログ記録を審査処理手段に用いるコンピュータ内に保存することを特徴とする競技審査システム。
【請求項８】
請求項１項における審査処理手段に用いるコンピュータにおいて、ネットワークドライブで接続したネットワーク記憶装置内に設けたラウンドデータから、担当する審査員の競技ラウンドを競技進行順に一覧表示するとともに、最も上位にある競技ラウンドを自動的に選択できる機能を有するとともに、任意に下位の競技ラウンドを選択できる機能も備え、競技進行を管理する主進行コードと、既設定競技ラウンドに同位決勝等の割り込みラウンドを設定できる実行進行コードを有したことを特徴とする競技採点集計システムおよび競技審査システム。
【請求項９】
請求項１項における審査処理手段に用いるコンピュータにおいて、審査内容すなわち予選、準決勝または決勝ラウンドの進行時に、何らかのアクシデントで当該ラウンドの選手が参加できなくなったとき、当該背番号の表示にマスクをかけて背番号が見えなくなる機能を有したことを特徴とする競技審査システム。
【発明の詳細な説明】
【技術分野】
【０００１】
本発明は、ボールルームダンス競技会等で使用するコンピュータによる競技採点集計システム及び競技審査システムに関するものである。
【背景技術】
【０００２】
ボールルームダンスは、最近ではダンススポーツと呼ばれることもあるが、社交ダンスの名称で広く普及してきた。その技術力を向上してきた競技会の歴史は古く、多くの選手が参戦することから、コンピュータのない時代でも速やかに競技の進行ができるように１５〜６組以下の選手が同時に競技をして比較審査をするスケーティングシステムと称する採点集計方法で審査結果を手集計してきた。しかし、コンピュータの普及で当然コンピュータによる集計手段が用いられるようになり、コンピュータへの入力手段も手入力やマークシートを使用した光学読取装置等も使用されてきた。
【０００３】
ダンス競技会の審査においては、上記に示すように多数の選手が同時に踊る中で審査を行うため、審査員は選手とほぼ同一のフロアにおいて審査する形態をとっており、審査対象の選手データは審査員が手に持ってできるものでなければならなかった。
しかし、携帯電話の出現と、コンピュータの進化により片手で持てるほどの無線通信ができる端末機ができ、コンピュータへの入力手段の一例として、特許第４４４０４５１号に示されている。
【特許文献１】特許第４４４０４５１号
【発明の概要】
【発明が解決しようとする課題】
【０００４】
しかしながら、上記一例に示した無線通信を使用した端末機によるシステムでは、端末機を単なる入出力機器の一つの手段として使用したに過ぎず、端末機に送信されたデータを表示するのは、マークシートの表示を端末機の表示部に表示し、鉛筆でマークをつける代わりに端末画面でマークするものであり、端末からデータをコンピュータに送信するのは、マークシートを光学読取装置で読み込んでデータをコンピュータに入力するのと同等である。その為、端末のＯＳ（オペレーティングシステム）に合わせた変換作業が送受信共に必要であり、同時稼働の端末機が増えると処理が遅くなり、速やかな進行を妨げる。また端末が小さいため競技しているヒートの選手分のみしか表示することができず、競技ラウンド全体の選手情報を確認することができない為、審査の公平性を欠く要因を含むものであった。
【０００５】
本発明は、このような現状に鑑み、コンピュータの更なる進化を活用し、最も有効な活用手段を取り、競技会審査が適正に評価できるとともに、競技進行を速やかに進めることができる採点集計システム及び競技審査システムを構築することを目的とする。
【課題を解決するための手段】
【０００６】
上記目的を達成するため、本発明の採点集計システム及び競技審査システムは、採点集計処理を行う為の採点集計システムをインストールしたMainPC1aとSubPC1bの２台のコンピュータと審査員が競技の審査結果を入力する審査員毎に保有する審査システムをインストールした審査処理タブレットコンピュータ3とネットワーク上に接続してデータを保存する少なくとも１台以上のネットワーク記憶装置2をローカルエリアネットワーク（LAN）で接続し、ネットワーク記憶装置（ネットワークSSD）２に設定したフォルダーに対して、MainPC1aの採点集計処理コンピュータ及び審査処理タブレットコンピュータ3を、それぞれネットワークドライブ接続し、MainPC1aとSubPC1bの採点集計処理コンピュータ間も上記とは別のネットワークドライブ接続することで、分散コンピューティングと等価の機能を持たせて処理するものである。
ネットワーク記憶装置（ネットワークSSD）2には、各競技部門のラウンド毎のラウンドデータ21を収納するフォルダーと審査データ22を収納するフォルダーをそれぞれ共有フォルダーとして有している。
採点集計するMainPC1aコンピュータには、各競技部門の選手データ、審査員データ、競技ラウウンドデータ、進行番号データ等の競技部門データ12と審査員が審査した各競技部門、競技ラウンド毎の審査結果のデータを進行番号順にまとめた審査合成データ13をそれぞれ収納するフォルダーを有している。更にネットワークドライブフォルダーとしてネットワーク記憶装置2に収納されている共有フォルダーのラウンドデータ21a及び審査データ22aと、Subコンピュータに収納されている部門別欠場データ14aと印刷データ15aを有している。
審査処理タブレットコンピュータ3は、審査員毎に用意され、それぞれは、ネットワークドライブフォルダーとしてネットワーク記憶装置（ネットワークSSD）2に収納されている共有フォルダーのラウンドデータ21b及び審査データ22bを有している。更に、当該機が何らかのトラブルで審査継続ができなくなることによる審査結果の消失を防ぐため、審査作業の記録を残すLogデータ32と審査データをバックアップ記録するBuckup33のフォルダーを有している。
欠場処理と印刷処理をするSubPC1bコンピュータには、Main1aコンピュータと同じ初期競技部門データ12と欠場処理をした結果を部門別にまとめた部門別欠場データ14と集計処理の結果を印刷するために一時保存する印刷データ15のそれぞれのフォルダーを有している。
尚、MainPC1aとSubPC1bには、それぞれ処理するデータのみを表示したが、２台ともネットワークドライブフォルダー以外は、同じシステムおよびデータフォルダーを有しており、どちらがMainPC1aになってもいいように構成している。
【発明の効果】
【０００７】
上記のようにMainPC1aコンピュータと審査処理タブレットコンピュータ３が、ネットワーク記憶装置（ネットワークSSD）2に収納されているフォルダーをネットワークドライブで自己のフォルダーとして入出力処理することで、それぞれのコンピュータが動作する際に基本機能として有している自身のログファイル記録処理や自己診断機能処理等によるロス時間等によるネットワーク接続状態の相互干渉を防ぐことができる。また、欠場処理や印刷処理をSubPC1bコンピュータで行うことにより、MainPC1aコンピュータの処理タイミングを考慮することなく処理できるので、従来の多数のコンピュータやネットワーク端末機をネットワーク接続してデータの送受信を行うシステムに比べてデータ送受信中に発生する通信障害の影響が少なくなり、競技の審査に影響することがなくなる。
【図面の簡単な説明】
【０００８】
【図１】本発明の一実施例の競技採点システムを示すブロック図
【図２】本発明の一実施例である採点装置の選択審査の表示例を示す構造図
【図３】本発明の一実施例である採点装置の順位審査の表示例を示す構造図
【図４】本発明の一実施例である採点集計装置の表示例を示す構造図
【図５】本発明の一実施例の競技採点システムの処理を示すフローチャート図1は、本発明の一実施例の機器構成を示すブロック図である。図2は、審査処理タブレットコンピュータ3（Judge PC3）に表示する予選から準決勝までの選択審査するラウンドのヒート表示の一例である。図3は、審査処理タブレットコンピュータ3（Judge PC3）に表示する決勝又は同位決勝での順位審査するラウンド表示の一例である。図4は、審査処理タブレットコンピュータ3（Judge PC3）における、審査画面を表示する前の競技ラウンドのリストを表示している競技ラウンド選択表示画面の一例である。図５は、本発明の競技採点集計システムの処理を示すフローチャートである。
【発明を実施するための形態】
【０００９】
図５において、競技開始に先立って、SubPC1bで当日選手の選手受付で作成できた欠場データを取り込み競技部門データ12と合成して部門別欠場データ14を作成する。欠場データの取り込みは、競技の進行に合わせて受付締切りが行われ、締切りごとに順次行われる。
部門別欠場データ14が作成されると、Main PC1aのネットワークドライブフォルダーとして設定されているSub PC1bの部門別欠場データ14aを取り込んでMain PC1a内の競技部門データ12を更新し、同じくネットワークドライブフォルダーとしてMain PC1aに設定しているネットワークSSD2のラウンドデータ21フォルダーにJudge PC3で使用するラウンドデータ21aを作成する。
審査員が操作するJudge PC3は、審査システム31により、ネットワークドライブフォルダーとして設定したネットワークSSDのラウンドデータ21bを読み込み、図２又は図３で示す審査画面を表示して審査する。審査操作は、Logファイル32に記録を残しながら実行し、該当ラウンドの審査が終わると入力終了でネットワークドライブ設定したネットワークSSD2の審査データ22フォルダー内の該当ラウンドのフォルダーに審査データ22bを記録し、合わせてBuckup33フォルダーにも同様に記録する。
少なくとも1台以上のネットワークSSD2内の審査データ22フォルダーをそれぞれMain PC1aのネットワークドライブフォルダーとして設定し、審査データ22aが記録されたことを監視して、審査合成データ13フォルダーの該当ラウンドフォルダーに取り込み、採点集計システム11で処理を行う。集計処理結果で競技部門データ12を更新し、ネットワークドライブフォルダー設定したSub PC1bの印刷データフォルダーに印刷データ15を出力する。Sub PC1bで審査結果を印刷処理し、Main PC1aでは、競技部門データ12から、ラウンドデータ21aを作成してデータを更新する。
この一連の処理動作を設定された競技部門、ラウンドによって順次処理し、予選から決勝までの競技を完了する。
図1において、１はMainとSubのコンピュータ、２はネットワークSSD,３は審査員が使用する採点装置（タブレットコンピュータ）すなわちJudge PCである。４は有線LANのHUB、５は無線LANのアクセスポイント（無線HUBと云うこともある）である。６は審査結果を印刷するレーザープリンターである、
LANの接続において、ネットワークSSD2に接続されたHUB4を基幹にMainとSubのコンピュータ1とプリンタ6を有線LAN接続したグループと、アクセスポイント5を接続してJudge PC3を接続したグループに分離して構成している。一つのアクセスポイントには、少なくとも複数のJudge PC3が接続されている。このように構成したLANはツリー型を構成しており、Main PC/Sub PC1グループとネットワークSSD2グループの動作時と、Judge PC3グループとネットワークSSD2グループの動作時の時、またそれぞれのグループの中での動作の時、他のグループに影響を与えることが少ない構成となり、LAN接続が安定する。
図２において、101は競技の進行番号、102は競技部門ラウンドの表示、103は審査員名、104は競技種目、105はこの競技ラウンドで選択する組数の設定値の表示、106は審査によって選択した累計組数の表示、107は選択設定値と選択累計数との差、108は各ヒート毎の平均選択数、109は競技する選手の背番号で横列が競技ヒートを表す。この表示の1例では6ヒート分を示している。110は審査員が選択した背番号を示す。四角の枠は、カラー表示してもよい。111は選択をキャンセルした表示で選択していた記録を残すため選択の110とは異なる表示での示し、カラー表示するときは色を変えて表示する。112は選択していないが、要注目選手として記録しておくチェックマークで、他のヒートに選択できる選手が少ないときに選択する可能性を記録した表示、113は何らかのアクシデントのため、途中で出場できなかった選手の背番号をマスクしたもので間違って選択しないための非表示にした背番号、114は該当ヒートの選択組数で選択キャンセル111及びチェック112は含まれない。115はラウンドのヒート数が1画面で表示できないときに次ページを表示するためのボタン、116は前のページに戻るときのボタン、117は全ての選択が終わったときにファイルにデータを書き込むための終了ボタンである。
このように表示構成された予選および準決勝ラウウドの競技審査においては、正確な選択組数が要求されるが、従来のマークシートでの選択では、累計の表示がないため審査員は累計組数の確認チェックに時間がとられる。また、1ヒート毎に表示される端末では、累計表示は出ても、ラウンド毎の選手レベルのバラツキによるヒート毎の選択組数の違いに対応しづらく平均値での選択に終始することになることがある。審査における選択は、選択110、選択キャンセル111、更に要注目チェック112の表示を行い、一度何らかの表示をされた背番号の表示は、消すことなく他の表示形態、例えば表示カラーを変更するなどして、記録を残している。
図3において、101〜104及び117は図2と同じである。118は決勝組数の表示、119は順位の表示枠組みを示す表示、120は決勝対象選手の背番号の表示、121は該当順位の背番号を入力するボックスで、120に示した選手背番号を選択ドラッグして付与する順位を与える。既に入力済の順位ボックスの上に別の背番号を入力することもできる。この時、すでに入っていた背番号は、未入力ボックスのある側に自動的にシフト移動する。この入力機能は、全ての背番号の順位付与が終わった後でも、120欄の背番号を順位ボックス121にドラッグすることにより、背番号の入れ替えを行うことができるとともに、当該背番号の移動で空となった方向に入れ替えられた背番号から空ボックスができた方向にその間の背番号がシフト移動する。
図4において、122はこのタブレットコンピュータJudge PC3を使用する審査員の名前を表示、123はJudge PC3で審査処理する競技部門のラウンドの表示で、競技級、教具部門、ラウンド、進行番号等が表示されている。また、処理が終わった部門ラウンドは、進行番号の設定された位置に逐次割り込み表示される。124は123の表示ラウンドから選択された部門の表示で、この表示部門が125のAOTOSTARTボタンで呼び出され、図2又は図3の審査画面を表示する。競技進行の都合で一番上位にある競技ラウンドを競技できないとき126に示す2番目、3番目等のボタンで進行番号の後位にある競技ラウンドを選択して競技することができる。127は競技の審査が終わり、採点集計処理が終わった部門で、次の当該部門の進行順位までに他の部門がないときにデータ更新を行うボタンである。
他の部門があるときは、その部門の入力終了117ボタンの操作によって自動的にデータが更新される。
このように表示構成された競技ラウンド選択画面において審査員名は審査員名表示122の右ボタンのDownをクリックすることで審査員名のリストが表示され該当審査員名を選択表示する。124の競技ラウンドの表示は、デフォルト値として最上位の部門が、自動的に表示されAUTOSTARTボタン125で該当競技ラウンドの審査画面に切り替わり、審査の入力終了で、この画面に戻り、次の競技ラウンドの選択になる。
このように当該タブレットコンピュータJudge PC3の審査する競技ラウンドの一覧を表示することにより、審査員は進行表を携帯することなく担当ラウンドの把握ができる。
【００１０】
本発明は、採点集計システムの処理を行うコンピュータも審査員の審査処理を行うタブレットコンピュータもすべて他のネットワーク機器のフォルダーをネットワークドライブとして自己のコンピュータのフォルダーとして設定することができるコンピュータで構成し、それぞれのコンピュータがデータを共有する競技部門データと審査データの2つの管理データをコンピュータでないネットワーク記憶装置の共有フォルダーに設置することによって、それぞれのコンピュータが分散処理することでコンピュータ間の動作干渉を防ぎ、速やかに競技の進行を進めるとともに、審査ミスのないシステムを構築するものである。
また、これらの構成機器は、競技会の処理する規模によって、自在に拡大、縮小を図ることができる。またMainPC1a及びSubPC1bに接続している有線LANハブを、ハブ機能を備えた無線アクセスポイント（無線ハブ）とすることで有線LAN適用による設置制限が少なくなる。
【符号の説明】
【００１１】
1 MainとSubの採点集計処理コンピュータ、 1a Main PC、 1b Sub PC、 2 ネットワークデータ記憶装置(ネットワークSSD)、 3 採点装置(タブレットコンピュータJudge PC)、 4 有線LANハブ、 5 無線アクセスポイント、 6 プリンタ、 11 採点集計システム、 12 競技部門データ、 13 審査合成データ、 14 部門別欠場データ、 14a ネットワークドライブ設定した部門別欠場データ14、 15 印刷データ、 15a ネットワークドライブ設定した印刷データ15、 21 ラウンドデータ、 21a ネットワークドライブ設定したラウンドデータ21、 21ｂ ネットワークドライブ設定したラウンドデータ21、 22 審査データ、 22a ネットワークドライブ設定した審査データ22、22b ネットワークドライブ設定した審査データ22、 31 審査システム、 32 Logデータ、 33 Buck upデータ、 101 競技の進行番号、 102 競技部門ラウンドの表示、 103 審査員名の表示、 104 競技種目と審査対象種目の表示、 105 予選又は準決勝ラウンドで選択する組数の設定値、 106 審査中の選択組数の累計表示、 107 設定値105と選択累計値106の差値、 108 各ヒート当たりの平均選択数、 109 競技している選手の背番号の表示で、横列が同一競技ヒートとなる、 110 選択したことを示す表示、 111 選択をキャンセルした表示、 112 選択候補として要チェックとした表示、 113 競技開始後に何らかのアクシデントで出場を棄権した選手の背番号を非表示とした表示、 114 該当列ヒートの選択された選手組数、 115 競技ヒートが表示ヒート数を超えたときに次のヒートに切替えるボタン、 116 前のヒートの表示に戻すボタン、 117 審査処理が終わったとき、データを記録するための入力終了ボタン、 118 決勝又は準決勝の時の組数の表示、 119 順位データを入れる順位枠の表示、 120 決勝又は準決勝に進出した選手の背番号の表示、 121 背番号120を選択ドラッグして順位枠に入力した表示、 122 審査員名と審査員番号の表示、 123 競技開始順に並べられた競技部門の表示、 124 今から競技する競技部門の表示、 125 選択されている競技部門124の審査画面を表示するボタン、 126 最上位の順位より後の部門を先に競技するための競技部門選択ボタン、 127 審査集計処理が終わって同一部門の次ラウンドが再度競技されるときや、競技部門データの並べ替えが必要なときに押す更新ボタン。
【図１】
2019118632.tif 000003
【図２】
2019118632.tif 000004
【図３】
2019118632.tif 000005
【図４】
2019118632.tif 000006
【図５】
2019118632.tif 000007
【手続補正書】
【提出日】平成30年8月20日(2018.8.20)
【手続補正１】
【補正対象書類名】特許請求の範囲
【補正対象項目名】全文
【補正方法】変更
【補正の内容】
【特許請求の範囲】
【請求項１】
ボールルームダンス競技会の審査処理手段と審査結果の採点集計処理手段をローカルネットワークシステムで接続したコンピュータにより処理する競技採点集計システムおよび競技審査処理手段において、審査処理手段に用いるコンピュータと審査結果の採点集計処理手段に用いるコンピュータをローカルネットワークに接続した少なくとも１台以上のネットワーク記憶装置内に設けた共有フォルダーを、それぞれのコンピュータがネットワークドライブフォルダーとして設定接続し、共有フォルダー内には、上記採点集計処理手段によって算出された競技選手の出場データ（勝ち残り選手データ）を更新して競技の進行に合わせて更新記録するラウンドデータフォルダーと、上記審査処理手段によって処理された審査データを記録する競技の進行番号に対応した審査データフォルダーを有し、それぞれのコンピュータがこの共有フォルダーに処理データを記録、また上記採点集計処理手段によって審査結果を集計するときは、集計処理する進行番号に対応した上記審査データフォルダー内のデータを読込んで処理を行い、競技を審査する上記審査処理手段は、審査するラウンドの出場選手の出場データを、上記ラウンドデータから読込することで競技の審査処理を行う対象の選手背番号を表示し、当該対象背番号を選択審査あるいは順位審査することで審査データを作成し、この競技ラウンドの進行番号ごとに記録すると共に、審査データが、処理過程の上書き等で喪失することがないように記録フォルダー及びデータファイル名を構成したことを特徴とする競技採点集計システムおよび競技審査システム。
【請求項２】
ツリー型トポロジーあるいはスター型トポロジー等に構成した複数のローカルネットワークHUBのルートノードHUBに少なくとも１台以上のネットワーク記憶装置を接続し、
下位の階層ノードHUBの１つに採点集計処理手段に用いる少なくとも１台以上のコンピュータとプリンターを接続した１台のコンピュータを接続し、他の下位の階層ノードHUBに審査処理手段に用いるコンピュータと無線LAN接続する少なくとも１台以上の無線アクセスポイントを接続し、当該無線アクセスポイントに適宜分散して接続した複数の審査処理手段に用いるコンピュータで構成したことで、上記ネットワーク記憶装置とそれぞれのコンピュータ間のデータ記録、読込に下位階層ノードHUBに接続した各コンピュータとプリンターの動作によるローカルネットワーク内の相互干渉を防止したことを特徴とする上記請求項１に記載した競技採点集計システムおよび競技審査システム。
【請求項３】
上記請求項２におけるローカルネットワークのルートノードHUBと下位の階層ノードHUBの接続は少なくとも１ギガビット以上の有線接続で行い、下位の階層ノードHUBにおいても、当該HUBと接続するコンピュータは、少なくとも１ギガビット以上の有線接続又は同等の通信機能レベルを有する無線接続で行い、他の下位の階層ノードHUBに接続する無線アクセスポイントは少なくとも１ギガビット以上の有線接続で構成したことを特徴とする上記請求項１に記載した競技採点集計システムおよび競技審査システム。
【請求項４】
上記請求項１におけるネットワーク記憶装置において、半導体素子メモリーを用いてストレージとして扱う通称SSDを内蔵ディスクとして構成したソリッドステートドライブネットワーク記憶装置にデータを記録、読込を可能とした共有フォルダーを設け、共有フォルダー内には、競技選手と競技の進行に応じた出場データ（勝ち残り選手データ）、競技部門のラウンドデータ等のファイルを採点集計処理手段から更新記録できる複数のラウンドデータフォルダーと、審査データファイルを進行番号ごとに審査処理手段からのみ記録できる事前に空白状態にした複数の進行番号別データフォルダーを内部に構成した審査データフォルダーで構成したことを特徴とする競技採点集計システムおよび競技審査システム。
【請求項５】
上記請求項１における採点集計処理手段コンピュータにおいて、審査結果の採点集計処理を行うMainコンピュータのほかに少なくとも１台の採点集計処理手段の結果を受けてデータの印刷を行うコンピュータをSubコンピュータとしてネットワークに接続し、処理するために長時間を必要とする印刷処理あるいは、Mainコンピュータが動作中でも当日の欠場データ処理等を行い、欠場選手データを作成するSubコンピュータを備えたことを特徴とする競技採点集計システムおよび競技審査システム。
【請求項６】
請求項１項における審査処理手段に用いるコンピュータにおいて、ネットワークドライブで接続したネットワーク記憶装置内に設けたラウンドデータから、競技ラウンドの審査対象選手の背番号を審査内容すなわち予選又は準決勝ラウンドにおける選択審査と決勝ラウンドにおける順位審査を切り替えて表示する手段を有し、選択審査においては、同一ラウウドの複数ヒートの背番号を同一画面に表示するとともに、選択、選択取消、選択待機等の記録を背番号に関連付けて消えることなく表示する機能を有して選択した背番号の数が設定した規定値に達した時、入力終了処理ができる機能がONとなり選択審査の審査データを請求項４に示す進行番号別データフォルダー内に記録出来る機能を有する。また、順位審査においては、審査対象選手の背番号の表示と順位枠を表示し、対象背番号を選択し順位枠にドラグすることで、順位枠に該当背番号を表示する機能を有し、同一順位に別の選手背番号を入れ替えて上書きした時は、既に設定済の背番号を連続した順位の背番号を順位の並びを変えないで空白順位のある方向へシフト移動する機能を有して全ての順位に背番号が入力されたら、入力終了処理ができる機能がONとなり順位審査の審査データを請求項４に示す進行番号別データフォルダー内に記録出来る機能を有していること、あるいは既に設定済順位の背番号に別の背番号を変更したいとき、上記のシフト移動せずに背番号の入れ替えをおこなって全順位に背番号をあたえる順位審査を行い、全ての順位に背番号が入力されたら、同様に入力終了処理ができる機能がONとなり順位審査の審査データを請求項４に示す進行番号別データフォルダー内に記録出来る機能を有し、上記２つの順位審査方法の選択は、審査員によりいずれかを選択できる機能を有した、複数ヒートを同時表示して行う選択審査と、シフト移動機能の有無を選んで順位審査を行える順位審査機能を有したことを特徴とする競技審査システム。
【請求項７】
請求項１項における審査処理手段に用いるコンピュータにおいて、請求項６に示す審査データをネットワークドライブで接続したネットワーク記憶装置内に設けた審査データフォルダーに記録するとともに、当該コンピュータ内にBuck upの記録フォルダーと審査員操作のLog記録フォルダーを有して、上記審査データをテキストファイル形式として、バックアップ記録と審査員の処理操作のログ記録として審査処理手段に用いるコンピュータ内のそれぞれのフォルダーに保存し、何らかの問題で審査処理手段に用いるコンピュータの使用継続が不可能となったとき、目視で他の審査処理手段に用いるコンピュータに再入力できることを特徴とする競技審査システム。
【請求項８】
請求項１項における審査処理手段に用いるコンピュータにおいて、ネットワークドライブで接続したネットワーク記憶装置内に設けたラウンドデータに主進行コードと実行進行コードを備え、主進行コードよりも実行進行コードに競技会ラウンドの進行優先度を与え、主進行コードを変えることなく競技ラウンドの進行変更を可能とし、上記コンピュータに担当する審査員名を設定することにより、当該審査員が審査担当する競技ラウンドの部門及びラウンド名を、実行進行コード順に一覧表示するとともに、競技ラウンドの審査結果を受けて新たに付加された実行進行コードで有効となった競技ラウンドを、既表示済の競技ラウンドに対し実行進行コードの順に合わせて随時割り込み表示を行ない、最も上位にある競技ラウンドを自動的に選択できる機能を有するとともに、任意に下位の競技ラウンドを選択できる機能も備え、競技進行を管理する主進行コードと、既設定競技ラウンドに次ラウンドとなる予選、準決勝、決勝あるいは同位決勝等の割り込みラウンドを設定できる実行進行コードを有したことを特徴とする競技採点集計システムおよび競技審査システム。
【請求項９】
請求項１項における審査処理手段に用いるコンピュータにおいて、審査内容すなわち予選、準決勝または決勝ラウンドの進行時に、何らかのアクシデントで当該ラウンドの選手が参加できなくなったとき、当該背番号の表示にマスクをかけて背番号が見えなくするとともに、画面タッチ操作で該当背番号を選択する上記コンピュータのマスクをかけた部位に対して、タッチ操作しても選択反応しないようにロックすることができる機能を有したことを特徴とする競技審査システム。
【手続補正書】
【提出日】平成30年11月19日(2018.11.19)
【手続補正１】
【補正対象書類名】特許請求の範囲
【補正対象項目名】全文
【補正方法】変更
【補正の内容】
【特許請求の範囲】
【請求項１】
ボールルームダンス競技会の審査処理手段と審査結果の採点集計処理手段をローカルネットワークシステムで接続したコンピュータにより処理する競技採点集計システムおよび競技審査処理手段において、審査処理手段に用いるコンピュータと審査結果の採点集計処理手段に用いるコンピュータをローカルネットワークに接続した少なくとも１台以上のネットワーク記憶装置内に設けた共有フォルダーを、それぞれのコンピュータがネットワークドライブフォルダーとして設定接続することにより、それぞれのコンピュータがこの共有フォルダーに処理ファイルを記録、読込することで競技会の審査処理と審査結果の集計処理を行う競技採点集計システムおよび競技審査システムにおいて、ネットワークドライブで接続したネットワーク記憶装置内に設けたラウンドデータから、競技ラウンドの審査対象選手の背番号を審査内容すなわち予選又は準決勝ラウンドにおける選択審査と決勝ラウンドにおける順位審査を切り替えて表示する手段を有し、選択審査においては、同一ラウンドの複数ヒートの背番号を同一画面に表示するとともに、選択、選択取消、選択待機等の記録を背番号に関連付けて消えることなく表示する機能を有し、また、順位審査においては、審査対象選手の背番号の表示と順位枠を表示し、対象背番号を選択し順位枠にドラグすることで、順位枠に該当背番号を表示する機能を有し、同一順位に別の選手背番号が上書きされた時は、既に設定済の背番号を連続した順位背番号と共に空白順位のある方向へシフト移動する機能を有していること、あるいは既に設定済の背番号と入れ替える機能を有し、審査員の選択によりいずれかの機能を選択できることを特徴とする競技審査システム。
【手続補正２】
【補正対象書類名】明細書
【補正対象項目名】０００９
【補正方法】変更
【補正の内容】
【０００９】
図５において、競技開始に先立って、SubPC1bで当日選手の選手受付で作成できた欠場データを取り込み競技部門データ12と合成して部門別欠場データ14を作成する。欠場データの取り込みは、競技の進行に合わせて受付締切りが行われ、締切りごとに順次行われる。
部門別欠場データ14が作成されると、Main PC1aのネットワークドライブフォルダーとして設定されているSub PC1bの部門別欠場データ14aを取り込んでMain PC1a内の競技部門データ12を更新し、同じくネットワークドライブフォルダーとしてMain PC1aに設定しているネットワークSSD2のラウンドデータ21フォルダーにJudge PC3で使用するラウンドデータ21aを作成する。
審査員が操作するJudge PC3は、審査システム31により、ネットワークドライブフォルダーとして設定したネットワークSSDのラウンドデータ21bを読み込み、図２又は図３で示す審査画面を表示して審査する。審査操作は、Logファイル32に記録を残しながら実行し、該当ラウンドの審査が終わると入力終了でネットワークドライブ設定したネットワークSSD2の審査データ22フォルダー内の該当ラウンドのフォルダーに審査データ22bを記録し、合わせてBuckup33フォルダーにも同様に記録する。
少なくとも1台以上のネットワークSSD2内の審査データ22フォルダーをそれぞれMain PC1aのネットワークドライブフォルダーとして設定し、審査データ22aが記録されたことを監視して、審査合成データ13フォルダーの該当ラウンドフォルダーに取り込み、採点集計システム11で処理を行う。集計処理結果で競技部門データ12を更新し、ネットワークドライブフォルダー設定したSub PC1bの印刷データフォルダーに印刷データ15を出力する。Sub PC1bで審査結果を印刷処理し、Main PC1aでは、競技部門データ12から、ラウンドデータ21aを作成してデータを更新する。
この一連の処理動作を設定された競技部門、ラウンドによって順次処理し、予選から決勝までの競技を完了する。
図1において、１はMainとSubのコンピュータ、２はネットワークSSD,３は審査員が使用する採点装置（タブレットコンピュータ）すなわちJudge PCである。４は有線LANのHUB、５は無線LANのアクセスポイント（無線HUBと云うこともある）である。６は審査結果を印刷するレーザープリンターである、
LANの接続において、ネットワークSSD2に接続されたHUB4を基幹にMainとSubのコンピュータ1とプリンタ6を有線LAN接続したグループと、アクセスポイント5を接続してJudge PC3を接続したグループに分離して構成している。一つのアクセスポイントには、少なくとも複数のJudge PC3が接続されている。このように構成したLANはツリー型を構成しており、Main PC/Sub PC1グループとネットワークSSD2グループの動作時と、Judge PC3グループとネットワークSSD2グループの動作時の時、またそれぞれのグループの中での動作の時、他のグループに影響を与えることが少ない構成となり、LAN接続が安定する。
図２において、101は競技の進行番号、102は競技部門ラウンドの表示、103は審査員名、104は競技種目、105はこの競技ラウンドで選択する組数の設定値の表示、106は審査によって選択した累計組数の表示、107は選択設定値と選択累計数との差、108は各ヒート毎の平均選択数、109は競技する選手の背番号で横列が競技ヒートを表す。この表示の1例では6ヒート分を示している。110は審査員が選択した背番号を示す。四角の枠は、カラー表示してもよい。111は選択をキャンセルした表示で選択していた記録を残すため選択の110とは異なる表示での示し、カラー表示するときは色を変えて表示する。112は選択していないが、要注目選手として記録しておくチェックマークで、他のヒートに選択できる選手が少ないときに選択する可能性を記録した表示、113は何らかのアクシデントのため、途中で出場できなかった選手の背番号をマスクしたもので間違って選択しないための非表示にした背番号、114は該当ヒートの選択組数で選択キャンセル111及びチェック112は含まれない。115はラウンドのヒート数が1画面で表示できないときに次ページを表示するためのボタン、116は前のページに戻るときのボタン、117は全ての選択が終わったときにファイルにデータを書き込むための終了ボタンである。
このように表示構成された予選および準決勝ラウウドの競技審査においては、正確な選択組数が要求されるが、従来のマークシートでの選択では、累計の表示がないため審査員は累計組数の確認チェックに時間がとられる。また、1ヒート毎に表示される端末では、累計表示は出ても、ラウンド毎の選手レベルのバラツキによるヒート毎の選択組数の違いに対応しづらく平均値での選択に終始することになることがある。審査における選択は、選択110、選択キャンセル111、更に要注目チェック112の表示を行い、一度何らかの表示をされた背番号の表示は、消すことなく他の表示形態、例えば表示カラーを変更するなどして、記録を残している。
図3において、101〜104及び117は図2と同じである。118は決勝組数の表示、119は順位の表示枠組みを示す表示、120は決勝対象選手の背番号の表示、121は該当順位の背番号を入力するボックスで、120に示した選手背番号を選択ドラッグして付与する順位を与える。既に入力済の順位ボックスの上に別の背番号を入力することもできる。この時、すでに入っていた背番号は、未入力ボックスのある側に自動的にシフト移動する。この入力機能は、全ての背番号の順位付与が終わった後でも、120欄の背番号を順位ボックス121にドラッグすることにより、背番号の入れ替えを行うことができるとともに、当該背番号の移動で空となった方向に入れ替えられた背番号から空ボックスができた方向にその間の背番号がシフト移動する。
図4において、122はこのタブレットコンピュータJudge PC3を使用する審査員の名前を表示、123はJudge PC3で審査処理する競技部門のラウンドの表示で、競技級、競技部門、ラウンド、進行番号等が表示されている。また、処理が終わった部門ラウンドは、進行番号の設定された位置に逐次割り込み表示される。124は123の表示ラウンドから選択された部門の表示で、この表示部門が125のAOTOSTARTボタンで呼び出され、図2又は図3の審査画面を表示する。競技進行の都合で一番上位にある競技ラウンドを競技できないとき126に示す2番目、3番目等のボタンで進行番号の後位にある競技ラウンドを選択して競技することができる。127は競技の審査が終わり、採点集計処理が終わった部門で、次の当該部門の進行順位までに他の部門がないときにデータ更新を行うボタンである。
他の部門があるときは、その部門の入力終了117ボタンの操作によって自動的にデータが更新される。
このように表示構成された競技ラウンド選択画面において審査員名は審査員名表示122の右ボタンのDownをクリックすることで審査員名のリストが表示され該当審査員名を選択表示する。124の競技ラウンドの表示は、デフォルト値として最上位の部門が、自動的に表示されAUTOSTARTボタン125で該当競技ラウンドの審査画面に切り替わり、審査の入力終了で、この画面に戻り、次の競技ラウンドの選択になる。
このように当該タブレットコンピュータJudge PC3の審査する競技ラウンドの一覧を表示することにより、審査員は進行表を携帯することなく担当ラウンドの把握ができる。